(57)【特許請求の範囲】
【請求項１】
ＩＤリーダ機能を具備する複数の呼出ボタンユニットと、前記呼出ボタンユニットを収容し前記呼出ボタンユニットから呼出操作に係る信号を受信すると当該呼出ボタンユニットによって呼出された旨を表示または所定の端末に通知する呼出制御装置とからなる呼出システムであって、
前記呼出ボタンユニットは、
自呼出ボタンユニットが近傍に存在するＩＤタグを検知している間、前記検知したＩＤタグのＩＤタグ情報と自呼出ボタンユニットを識別するユニット情報を定期的に前記呼出制御装置に通知する通知手段を有し、
前記呼出制御装置は、
前記呼出ボタンユニットから通知されるＩＤタグ情報およびユニット情報の定期的な通知が継続する継続時間の累積値を累積通知継続時間として前記ＩＤタグ情報およびユニット情報と対応付けて記憶する累積通知継続時間記憶手段と、
予め前記ＩＤタグ情報および所定の端末の宛先情報を対応付けて記憶する対応端末情報記憶手段と、を有し、
いずれかの前記呼出ボタンユニットから前記呼出操作に係る信号と前記ユニット情報を受信した場合に、前記受信した呼出ボタンユニットに係る情報、および前記累積通知継続時間記憶手段に記憶されている当該呼出ボタンユニットに対応する累積通知継続時間が最も長いＩＤタグ情報に係る情報を表示する、または前記累積通知継続時間が最も長いＩＤタグ情報に対応する端末へ通知することを特徴とするタグリーダと連動する呼出システム。
【発明の詳細な説明】
【技術分野】
【０００１】
本発明は、ナースコールシステム等の呼出システムに関し、特にＩＤリーダと連動した呼出システムに関する。
【背景技術】
【０００２】
従来のナースコールシステムは、呼出ボタンが押下されるとナースコールセンターが鳴動するまたは全ての無線端末に呼び出された事の通知を行う。そのため、通知を受けた看護師は、直接患者に対応するか、呼出ボタンを押下した患者を担当する看護師を呼び出さなければならず、不便であった。
【０００３】
これを解決するために特許文献１の技術では、患者の予め呼出ボタンと対応する看護師の持つ携帯端末を対応付けて記憶し、呼出ボタンが押下されると、押下された呼出ボタンに対応する携帯端末を呼び出す機能が開示されている。
【先行技術文献】
【特許文献】
【０００４】
【特許文献１】特開２０００−１０７２４０号公報
【発明の概要】
【発明が解決しようとする課題】
【０００５】
しかしながら、特許文献１に開示された技術では、受持ちの看護師に通知させるために、あらかじめ登録操作をおこなわなければならず、受持ちの看護師が変わった場合には登録をしなおさなければならないという問題がある。
【０００６】
また、特許文献１の技術では看護師が呼び出されたことに気づかなかった場合の対処が考慮されていない。
【０００７】
上記課題から本発明の目的は、担当看護師が変わった場合にも登録をし直す必要がなく、また、担当看護師が呼び出されたことに気がつかなかった場合には、他の看護師を呼出すことによって、いずれかの看護師を確実に呼び出すことを目的とする。
【課題を解決するための手段】
【０００８】
本発明による第１の発明は、  ＩＤリーダ機能を具備する複数の呼出ボタンユニットと、前記呼出ボタンユニットを収容し前記呼出ボタンユニットから呼出操作に係る信号を受信すると当該呼出ボタンユニットによって呼出された旨を表示または所定の端末に通知する呼出制御装置とからなる呼出システムであって、前記呼出ボタンユニットは、自呼出ボタンユニットが近傍に存在するＩＤタグを検知している間、前記検知したＩＤタグのＩＤタグ情報と自呼出ボタンユニットを識別するユニット情報を定期的に前記呼出制御装置に通知する通知手段を有し、前記呼出制御装置は、前記呼出ボタンユニットから通知されるＩＤタグ情報およびユニット情報の定期的な通知が継続する継続時間の累積値を累積通知継続時間として前記ＩＤタグ情報およびユニット情報と対応付けて記憶する累積通知継続時間記憶手段と、予め前記ＩＤタグ情報および所定の端末の宛先情報を対応付けて記憶する対応端末情報記憶手段と、を有し、いずれかの前記呼出ボタンユニットから前記呼出操作に係る信号と前記ユニット情報を受信した場合に、前記受信した呼出ボタンユニットに係る情報、および前記累積通知継続時間記憶手段に記憶されている当該呼出ボタンユニットに対応する累積通知継続時間が最も長いＩＤタグ情報に係る情報を表示する、または前記累積通知継続時間が最も長いＩＤタグ情報に対応する端末へ通知することを特徴とする。
【発明の効果】
【０００９】
本発明のナースコールシステムによれば、最も長い時間患者のそばで看護した看護師を呼び出すことができるため、状況を知っている看護師が患者に対応することができる。
【図面の簡単な説明】
【００１０】
【図１】本発明の全体システム構成図および呼出ボタンユニットの機能ブロック図である
【図２】本発明の呼出制御装置の機能ブロック図である
【図３】ＩＤタグ情報記憶部に蓄積された受信時刻記憶テーブルの一例である
【図４】ＩＤタグ情報記憶部に蓄積された累積時間記憶テーブルの一例である
【図５】ＩＤタグ情報記憶部に蓄積された累積回数記憶テーブルの一例である
【図６】無線端末情報記憶部に蓄積された無線端末情報記憶テーブルの一例である
【図７】呼出ボタンユニットの動作フローチャートである
【図８】呼出制御装置１の動作フローチャートである
【図９】呼出制御装置１の受信時刻格納処理の動作フローチャートである
【図１０】呼出制御装置１の累積時間格納処理の動作フローチャートである
【図１１】呼出制御装置１の累積回数格納タイマスタート処理の動作フローチャートである
【図１２】呼出制御装置１の累積回数格納処理の動作フローチャートである
【図１３】呼出制御装置１の無線端末呼出処理の動作フローチャートである
【発明を実施するための形態】
【００１１】
以下に本発明の実施の形態を、図面を参照しながら説明する。
【００１２】
図１は、本発明の全体システム構成図および呼出ボタンユニット２の機能ブロック図である。
【００１３】
本発明の全体システム構成図は、ナースセンター等に設置された呼出制御装置１と、交換機３及び無線基地局４を介して呼び出される、看護師が持つＩＤタグ６を有した無線端末５と、各病室、各病棟のベッド毎に設けられた呼出ボタンユニット２とから構成される。
【００１４】
呼出ボタンユニット２は、患者が呼び出し時に押下する呼出ボタン２５の入力を検知するボタン入力部２１と、ＩＤタグ６を検知するボタンユニットＩＤタグリーダ２２と、検知したＩＤタグ情報を制御装置インターフェース２４へ送信するボタンユニットＩＤ通知部２３と、呼出ボタン入力や検知ＩＤタグ情報、自ユニット情報を制御装置１へ送信する制御装置インターフェース２４と、一定間隔を計測する計測タイマ部２６から構成される。
【００１５】
なお、交換機３と無線基地局４の間に電話網を介すことにより、携帯電話端末への呼び出しをすることもできる。
【００１６】
図２は、本発明の呼出制御装置１の機能ブロック図である。
【００１７】
呼出制御装置１は、主制御部１０１と、呼出ボタンインターフェース１０２と、交換機インターフェース１０３と、表示器制御部１０４と、表示器１０５と、キー入力部１０６と、ダイヤルボタン１０７と、設定データ記憶部１０８と、制御装置ＩＤ通知部１０９と、制御装置タグリーダー１１０と、時刻制御部１１１と、ＩＤタグ情報管理部１１２と、ＩＤタグ情報記憶部１１３と、無線端末情報管理部１１４と、無線端末情報記憶部１１５と、タイマ管理部１１６とから構成される。
【００１８】
主制御部１０１は、呼出ボタンインターフェース１０２、交換機インターフェース１０３、表示器制御部１０４、キー入力部１０６、設定データ記憶部１０８、制御装置ＩＤ通知部１０９、ＩＤタグ情報管理部１１２、無線端末情報管理部１１４、タイマ管理部１１６に接続し、本装置の処理全般を制御するとともに、接続する他のブロック部を制御する。
【００１９】
呼出ボタンインターフェース１０２は、呼出ボタンユニット２から受信したＩＤタグ情報と呼出ボタンユニット情報、または呼出ボタン押下情報を主制御部１０１へ送信する。
【００２０】
交換機インターフェース１０３は、交換機３へ呼出す無線端末番号を送信し、また交換機３から受信した相手応答信号を主制御部１０１へ送信する。
【００２１】
表示器制御部１０４は、無線端末呼出時に主制御部１０１から無線端末情報を受信し、表示器１０５に表示させる。
【００２２】
表示器１０５は、主制御部１０１から受信した無線端末情報を表示する。
【００２３】
キー入力部１０６は、無線端末番号登録時にダイヤルボタン１０７押下を検知して、押下された番号を無線端末の電話番号として主制御部１０１へ送信する。
【００２４】
ダイヤルボタン１０７は、押下された番号をキー入力部１０６へ送信する。
【００２５】
設定データ記憶部１０８は、無線端末の呼出方法設定データを記憶する。設定データ記憶部１０８は、あらかじめ受信時刻、累積時間、累積回数のいずれかの呼出方法にするかの設定情報が記憶されている。
【００２６】
制御装置ＩＤ通知部１０９は、ＩＤタグ情報登録時に制御装置ＩＤタグリーダ１１０が検知したＩＤタグ情報を主制御部１０１へ送信する。
【００２７】
制御装置ＩＤタグリーダ１１０は、ＩＤタグを検知すると、検知したＩＤタグ情報を制御装置ＩＤ通知部１０９へ送信する。
【００２８】
時刻制御部１１１は、時刻の制御を行う。
【００２９】
ＩＤタグ情報管理部１１２は、主制御部１０１からＩＤタグ情報と呼出ボタンユニット情報を受信すると、時刻制御部１１１から取得した時刻とを関連づけてＩＤタグ情報記憶部１１３の受信時刻記憶テーブル３００に記憶させて、現在時刻に近い順に管理する。
【００３０】
図３は、ＩＤタグ情報記憶部１１３に蓄積された受信時刻記憶テーブル３００の一例である。
【００３１】
３０１は呼出ボタンユニット番号、３０２は呼出ボタンユニット番号ごとの呼出順番、３０３は受信ＩＤタグ情報、３０４はＩＤタグ情報受信時刻が格納されており、３０５の各レコードの内容はそれぞれ対応している。
【００３２】
受信時刻記憶テーブル３００は、呼出制御装置１のＩＤタグ情報受信時に作成され、呼出制御装置１の無線端末呼出時に参照する。詳細については、後述する。
【００３３】
図４は、呼出制御装置１のＩＤタグ情報記憶部１１３に蓄積された累積時間記憶テーブル４００の一例である。
【００３４】
４０１は呼出ボタンユニット番号、４０２は呼出ボタンユニット番号ごとの呼出順番、４０３は受信ＩＤタグ情報、４０４は受信回数、４０５は累積時間が格納されており、４０６の各レコードの内容はそれぞれ対応している。
【００３５】
累積時間記憶テーブル４００は、呼出制御装置１のＩＤタグ情報受信時に作成され、呼出制御装置１の無線端末呼出時に参照する。詳細については、後述する。
【００３６】
図５は、呼出制御装置１のＩＤタグ情報記憶部１１３に蓄積された累積回数記憶テーブル５００の一例である。
【００３７】
５０１は呼出ボタンユニット番号、５０２は呼出ボタンユニット番号ごとの呼出順番、５０３は受信ＩＤタグ情報、５０４は受信回数、５０５は累積回数が格納されており、５０６の各レコードの内容はそれぞれ対応している。
【００３８】
累積回数記憶テーブル５００は、タイマ管理部１１６からの累積回数格納タイムアウト時に作成され、呼出制御装置１の無線端末呼出時に参照する。詳細については、後述する。
【００３９】
ＩＤタグ情報記憶部１１３は、受信時刻記憶テーブル３００と、累積時間記憶テーブル４００と、累積回数記憶テーブル５００を記憶する。
【００４０】
無線端末情報管理部１１４は、主制御部１０１から受信したＩＤタグ情報と無線端末番号を関連づけて対応端末情報記憶手段としての無線端末情報記憶部１１５に記憶させて管理する。
【００４１】
図６は、呼出制御装置１の無線端末情報記憶部１１５に蓄積された無線端末情報記憶テーブル６００の一例である。
【００４２】
６０１は無線端末番号、６０２はＩＤタグ情報が格納されており、６０３の各行の内容はそれぞれ対応している。
【００４３】
無線端末情報記憶テーブル６００は無線端末番号登録時に作成され、呼出制御装置１の無線端末呼出時に参照する。詳細については、後述する。
【００４４】
無線端末情報記憶部１１５は、無線端末情報記憶テーブルを記憶する。
【００４５】
タイマ管理部１１６は、累積回数を記憶するために累積回数格納タイムアウトを管理する。
【００４６】
図７は、呼出ボタンユニット２の動作フローチャートである。尚本フローは、呼出ボタンユニット２の電源が投入された場合に動作する。
【００４７】
呼出ボタンユニット２は患者のベッド付近に設置されており、内蔵されているボタンユニットＩＤタグリーダ２２は、計測タイマ部２６のタイマ通知を受けて常時一定期間でＩＤタグ６の検知動作をしている。
【００４８】
呼出ボタンユニット２の計測タイマ部２６は一定期間計測タイマをスタートする（Ｓ７０１）。
【００４９】
そして、呼出ボタンユニット２は、患者によって呼出ボタン２５が押下される（Ｓ７０２）、または一定期間計測タイマが一定期間経過する（Ｓ７０４）のを待つ。
【００５０】
患者がベッド付近に設置されている呼出ボタン２５を押下すると、呼出ボタンユニット２は、ボタン入力部２１が呼出ボタン２５の押下を検出し（Ｓ７０２ＹＥＳ）、制御装置インターフェース２４から呼出制御装置１に呼出ボタン２５押下と自ユニット情報を通知する（Ｓ７０３）。
【００５１】
一定期間経過すると（Ｓ７０４ＹＥＳ）、呼出ボタンユニット２は、ボタンユニットＩＤタグリーダ２２が看護師の持っている無線端末５に内蔵または貼り付けてあるＩＤタグ６を検知したかどうかを判定する（Ｓ７０５）。ＩＤタグ６を検知した場合（Ｓ７０５ＹＥＳ）、呼出ボタンユニット２は、ボタンユニットＩＤ通知部２３で検知したＩＤタグを呼出ＩＤタグ情報として制御装置インターフェース２４へ送信し、制御装置インターフェース２４から呼出制御装置１に呼出ＩＤタグ情報と自ユニット情報を通知する（Ｓ７０６）。その後、呼出ボタンユニット２は、一定期間計測タイマをリスタートし（Ｓ７０７）、ステップ７０２に戻る。
【００５２】
ＩＤタグを検知しなかった場合（Ｓ７０５ＮＯ）、呼出ボタンユニット２は、一定期間計測タイマをリスタートし（Ｓ７０７）、ステップ７０２に戻る。
【００５３】
図８は、呼出制御装置１の動作フローチャートである。尚本フローは、呼出制御装置１の電源が投入された場合に動作する。まず、無線端末記憶テーブルの格納方法について説明する。
【００５４】
呼出制御装置１に内蔵されている制御装置ＩＤタグリーダ１１０は、常時ＩＤタグ６の検知動作をしている。  
呼出制御装置１は、ＩＤタグ６が内蔵または貼り付けてある無線端末５を呼出制御装置１の制御装置ＩＤタグリーダ１１０の近くにかざすと、ＩＤタグ情報を検知して（Ｓ８０１ＹＥＳ）、無線端末記憶テーブル６００に無線端末番号を登録するモードに移行する。制御装置ＩＤ通知部１０９は検知したＩＤタグ情報を主制御部１０１に通知し、主制御部１０１は、無線端末情報管理部１１４に指示して、該ＩＤタグ情報を無線端末情報記憶テーブル６００の６０２欄にセットする（Ｓ８０２）。
【００５５】
このときダイヤルボタン１０７を押下にて無線端末５の内線番号を入力すると、キー入力部１０６は該内線番号を受信し（Ｓ８０３）、受信した該内線番号を主制御部１０１に通知する。主制御部１０１は、該内線番号を上記ＩＤタグ情報に対応した無線端末の内線番号として無線端末情報記憶テーブル６００の６０１欄にセットする（Ｓ８０４）。
【００５６】
呼出制御装置１は、ＩＤタグを検出した呼出ボタンユニット２より、検出したＩＤタグ情報と呼出ボタンユニット番号を受信すると（Ｓ８０５ＹＥＳ）、受信時刻記憶テーブル３００、累積時間記憶テーブル４００、累積回数記憶テーブル５００の各テーブルを更新するモードに移行する。まず受信時刻格納処理を実行する（Ｓ８０６）。詳細については、図９を用いて後述する。
【００５７】
次に、累積時間格納処理を実行する（Ｓ８０７）。詳細については、図１０を用いて後述する。
【００５８】
次に、累積回数格納タイマスタート処理を実行する（Ｓ８０８）。詳細については、図１１を用いて後述する。
【００５９】
呼出ボタン２５の押下を検知した呼出ボタンユニット２は、呼出ボタン押下通知と自呼出ボタンユニット番号を呼出制御装置１へ通知する。該呼出ボタンユニット番号と該呼出ボタン押下通知を受信すると（Ｓ８０９ＹＥＳ）、無線端末５を呼出す無線端末呼出すモードに移行し、無線端末呼出処理を実行する（Ｓ８１１）。詳細については、図１３を用いて後述する。
【００６０】
ＩＤタグ情報の検知もせず（Ｓ８０１ＮＯ）、ＩＤタグ情報と呼出ボタンユニット番号の受信もせず（Ｓ８０５ＮＯ）、呼出ボタンユニット番号と呼出ボタン押下通知を受信しなければ（Ｓ８０９ＮＯ）、累積回数格納処理を実行する（Ｓ８１０）。詳細については、図１２を用いて後述する。
【００６１】
図９は、呼出制御装置１の受信時刻格納処理の動作フローチャートである。なお、本フローは図８でＩＤタグ情報と呼出ボタンユニット番号を受信後（Ｓ８０５ＹＥＳ）に開始する。
【００６２】
呼出制御装置１は、呼出ボタンユニット番号およびＩＤタグ情報を受信すると、受信時刻記憶テーブルの呼出しボタンユニット番号３０１および受信ＩＤタグ情報３０３を検索し、一致するレコードが格納されているか否かを検索する（Ｓ９０１）。
【００６３】
受信した呼出ボタンユニット番号およびＩＤタグ情報に一致するレコードが格納されていれば（Ｓ９０２ＹＥＳ）、呼出制御装置１は当該レコードを削除する（Ｓ９０３）。一致するレコードが格納されていなければ（Ｓ９０２ＮＯ）呼出制御装置１は、一番古いレコードを削除する（Ｓ９０４）。
【００６４】
そして、呼出制御装置１は、一致する呼出ボタンユニット番号に新たにレコードを追加し、受信したＩＤタグ情報を受信ＩＤタグ情報３０３欄に、対応するＩＤタグ情報受信時刻３０４欄に当該ＩＤタグ情報を受信した時刻を新しく登録し（Ｓ９０５）、呼出ボタンユニット番号３０１欄内の該呼出ボタンユニット番号に対応するすべての受信ＩＤタグ情報のレコードをＩＤタグ情報受信時刻が現在時刻に近い順に並べ替える（Ｓ９０６）。
【００６５】
図１０は、呼出制御装置１の累積時間格納処理の動作フローチャートである。なお、本フローは図８で受信時刻格納処理（Ｓ８０６）を実行後に開始する。
【００６６】
呼出制御装置１は、呼出ボタンユニット番号およびＩＤタグ情報を受信すると、累積時間記憶テーブルの呼出しボタンユニット番号４０１および受信ＩＤタグ情報４０３を検索し、一致するレコードが格納されているか否かを検索する（Ｓ１００１）。
【００６７】
受信した呼出ボタンユニット番号およびＩＤタグ情報と一致するレコードが格納されていれば（Ｓ１００２ＹＥＳ）、呼出制御装置１は当該レコードを選択する（Ｓ１００３）。一致するレコードが格納されていなければ（Ｓ１００２ＮＯ）、新たにレコードを作成し選択する（Ｓ１００４）。
【００６８】
選択したレコードのＩＤタグ情報の受信回数を＋１して（Ｓ１００５）、受信回数と通知される一定の間隔の積より累積時間を算出し登録する（Ｓ１００６）。呼出ボタンユニット番号４０１欄内の該呼出ボタンユニット番号に対応するすべての受信ＩＤタグ情報のレコードを累積時間が多い順に並べ替える（Ｓ１００７）。
【００６９】
なお、一定時間経過するごとに累積時間記憶テーブルの受信ＩＤタグ情報と受信回数と累積時間をクリアする。
【００７０】
図１１は、呼出制御装置１の累積回数格納タイマスタート処理の動作フローチャートである。なお、本フローは図８で累積時間格納処理（Ｓ８０７）を実行後に開始する。
【００７１】
呼出制御装置１は、呼出ボタンユニット番号およびＩＤタグ情報を受信すると、累積回数記憶テーブルの呼出しボタンユニット番号５０１および受信ＩＤタグ情報５０３を検索し、一致するレコードが格納されているか否かを検索する（Ｓ１１０１）。
【００７２】
受信した呼出ボタンユニット番号及びＩＤタグ情報と一致したレコードが格納されていれば（Ｓ１１０２ＹＥＳ）当該レコードを選択する（Ｓ１１０３）。一致するレコードが格納されていなければ（Ｓ１１０２ＮＯ）新たにレコードを作成し選択する（Ｓ１１０４）。
【００７３】
選択したレコードのＩＤタグ情報の受信回数が、一定回数以上でなければ（Ｓ１１０５ＮＯ）、選択したレコードのＩＤタグ情報の受信回数を＋１する（Ｓ１１０６）。
【００７４】
一定回数以上であれば（Ｓ１１０５ＹＥＳ）、当該呼出ユニット番号とＩＤタグ情報に対応した累積回数格納タイマをスタートする（Ｓ１１０７）。
【００７５】
看護師が一定時間以上患者を看護している間、当該ＩＤタグ累積回数格納タイマをリスタートさせるため、看護している間は当該ＩＤタグ累積回数格納タイマはタイムアウトしない。
【００７６】
図１２は、呼出制御装置１の累積回数格納処理の動作フローチャートである。なお、本フローは図８で呼出ボタンユニット番号と呼出ボタン押下通知を受信しなかった場合（Ｓ８０９ＮＯ）に開始する。
【００７７】
看護師が一定時間患者を看護し、ベットから離れた時に、看護回数として累積回数をカウントする。ベットを離れると、ＩＤタグ情報とユニット情報を受信しなくなるため、図１１の本発明の累積回数格納タイマスタート処理でスタートさせた累積回数格納タイマがタイムアウトする。
【００７８】
呼出制御装置１は、累積回数格納タイマがタイムアウトすると（Ｓ１２０１ＹＥＳ）、タイマに対応付けられた呼出ボタンユニット番号およびＩＤタグ情報にて、累積回数記憶テーブルの呼出しボタンユニット番号５０１および受信ＩＤタグ情報５０３を検索し、一致するレコードが格納されているか否かを検索し（Ｓ１２０２）、当該レコードを選択する（Ｓ１２０３）。次に選択したレコードのＩＤタグ情報の受信回数をクリアし（Ｓ１２０４）、選択したレコードのＩＤタグ情報の累積回数を＋１し（Ｓ１２０５）、呼出ボタンユニット番号５０１欄内の該呼出ボタンユニット番号に対応するすべての受信ＩＤタグ情報のレコードを累積回数が多い順に並べ替える（Ｓ１２０６）。
【００７９】
なお、当該ＩＤタグ情報累積回数格納タイマがタイムアウトしていないと（Ｓ１２０１ＮＯ）処理せず、本処理から抜ける。
【００８０】
なお、一定時間経過するごとに累積回数記憶テーブルの受信ＩＤタグ情報と受信回数と累積回数をクリアする。
【００８１】
図１３は、呼出制御装置１の無線端末呼出処理の動作フローチャートである。なお、本フローは図８で該呼出ボタンユニット番号と該呼出ボタン押下通知を受信後（Ｓ８０９ＹＥＳ）に開始する。
【００８２】
呼出制御装置１は、設定データ記憶部１０８に記憶されている呼出方法設定データを元に呼出方法の判定を行い、どの呼出順番のテーブルを参照するか決定する（Ｓ１３０１）。
【００８３】
受信時刻順に呼び出す設定であれば（Ｓ１３０１、受信時刻）受信時刻記憶テーブルを参照し（Ｓ１３０２）、累積時間順に呼び出す設定であれば（Ｓ１３０１、累積時間）累積時間記憶テーブルを参照し（Ｓ１３０３）、累積回数順に呼び出す設定であれば（Ｓ１３０１、累積回数）累積回数記憶テーブルを参照する（Ｓ１３０４）。
【００８４】
参照した記憶テーブルの呼出ボタンユニット番号欄をサーチして、受信した該呼出ボタンユニット番号３０１、４０１、５０１に対応する呼出順番３０２、４０２、５０２が「１」の受信ＩＤタグ情報３０３、４０３、５０３を抽出し（Ｓ１３０５）、当該受信ＩＤタグ情報に対応する無線端末情報記憶テーブル６００のＩＤタグ情報６０２を検索する。そして、ＩＤタグ情報が一致する無線端末番号６０１を取得する（Ｓ１３０６）。取得した無線端末番号の無線端末を呼び出し（Ｓ１３０７）、呼出時間タイマをスタートする（Ｓ１３０８）。
【００８５】
無線端末が応答したら（１３０９ＹＥＳ）処理を終了する。無線端末が応答せず（Ｓ１３０９ＮＯ）呼出時間タイマがタイムアウトした場合（Ｓ１３１０ＹＥＳ）は、再び同記憶テーブルの当該ユニット番号に対応する全レコードへの呼び出しを行っていなければ（Ｓ１３１１ＮＯ）、次順の呼出順番のＩＤタグ情報を参照し（Ｓ１３１２）、対応する無線端末番号を取得して当該無線端末番号の無線端末の呼び出しを行う。
【００８６】
全レコードへの呼び出しを行っていれば（Ｓ１３１１ＹＥＳ）、処理を終了する。
【００８７】
尚、本実施例では、ステップ１３０６で無線端末情報記憶テーブル６００の無線端末番号６０１を取得し、端末番号での呼び出しをしているが、例えば無線端末番号６０１はメールアドレスであって該メールアドレスにＩＤタグ情報記憶テーブルの受信ＩＤタグ情報また呼出ボタンユニット２の呼出ボタンユニット番号を通知するようにしてもよい。
【００８８】
尚、本実施例では、ステップ１３０７で無線端末の呼び出しを行う説明をしているが、呼出制御装置１の表示制御部１０４から表示部１０５にＩＤタグ情報記憶テーブルの受信ＩＤタグ情報また呼出ボタンユニット２の呼出ボタンユニット番号を表示してもよい。
【００８９】
本発明による第１の発明は、ＩＤリーダ機能を具備する複数の呼出ボタンユニットと、前記呼出ボタンユニットを収容し前記呼出ボタンユニットから呼出操作に係る信号を受信すると当該呼出ボタンユニットによって呼出された旨を表示または所定の端末に通知する呼出制御装置とからなる呼出システムであって、前記呼出ボタンユニットは、自呼出ボタンユニットが近傍に存在するＩＤタグを検知すると、検知したＩＤタグのＩＤタグ情報と自ユニットを識別するユニット情報を前記呼出制御装置に通知する通知手段を有し、前記呼出制御装置は、前記通知手段によってＩＤタグ情報とユニット情報を受信すると、前記ＩＤタグ情報およびユニット情報を対応付けて記憶するＩＤタグ情報記憶手段と、予め前記ＩＤタグ情報および所定の端末の宛先情報を対応付けて記憶する対応端末情報記憶手段と、を有し、いずれかのボタンユニットから呼出操作に係る信号とユニット情報を受信すると、前記ＩＤタグ情報記憶手段を参照して該当するボタンユニットが検知したＩＤタグのうち、予め定められた方法で所定のＩＤタグ情報を読出し、読出したＩＤタグ情報または当該ボタンユニットに係る情報を表示する、または前記対応端末情報記憶手段を参照して当該ＩＤタグ情報に対応する端末に通知することを特徴とする。
【００９０】
本発明による第２の発明は、前記ＩＤタグは、所定の無線端末に対応するＩＤタグであって、前記対応端末情報記憶手段は、さらに前記ＩＤタグ情報と対応付けられた前記無線端末の電話番号を記憶し、いずれかのボタンユニットから呼出操作に係る信号と自ユニットのユニット情報を受信すると、前記対応端末情報記憶手段を参照して、当該ＩＤタグ情報に対応する前記無線端末の電話番号で当該無線端末を呼出すことを特徴とする。
【００９１】
本発明による第３の発明は、前記呼出ボタンユニットの通知手段は、一定の間隔で自呼出ボタンユニットの近傍に存在するＩＤタグを検知し、ＩＤタグを検知すると検知したＩＤタグのＩＤタグ情報と自ユニットを識別するユニット情報を前記呼出制御装置に通知し、前記呼出制御装置は、前記通知手段によって前記ＩＤタグ情報とユニット情報を受信すると、当該前記ＩＤタグ情報およびユニット情報を受信した回数をカウントする受信回数カウント手段と、前記受信回数および前記一定の間隔の積により求められる累積時間と前記ＩＤタグ情報およびユニット情報を対応付けて記憶する累積時間記憶手段と、を有し、いずれかのボタンユニットから呼出操作に係る信号とユニット情報を受信すると、前記累積時間記憶手段を参照して該当するボタンユニットが検知したＩＤタグのうち、累積時間の最も長いＩＤタグ情報を読出し、前記読出したＩＤタグ情報または当該ボタンユニットに係る情報を表示する、または前記対応端末情報記憶手段を参照して当該ＩＤタグ情報に対応する端末に通知する、または当該ＩＤタグ情報に対応する前記無線端末の電話番号で当該無線端末を呼出すことを特徴とする。
【００９２】
本発明による第４の発明は、前記呼出した無線端末から一定時間以内に応答がなければ、前記累積時間記憶手段を参照して当該ボタンユニットが検知したＩＤタグのうち、次に累積時間が多いＩＤタグ情報を読出し、前記読出したＩＤタグ情報または当該ボタンユニットに係る情報を表示する、または前記対応端末情報記憶手段を参照して当該ＩＤタグ情報に対応する端末に通知する、または前記対応端末情報記憶手段を参照して当該ＩＤタグ情報に対応する無線端末を呼出すことを特徴とする。
【００９３】
本発明による第５の発明は、前記呼出ボタンユニットの通知手段は、一定の間隔で自呼出ボタンユニットが近傍に存在するＩＤタグを検知し、ＩＤタグを検知すると、検知したＩＤタグのＩＤタグ情報と自ユニットを識別するユニット情報を前記呼出制御装置に通知し、前記呼出制御装置は、前記通知手段によって前記ＩＤタグ情報とユニット情報を受信すると、前記一定の間隔で当該ＩＤタグ情報とユニット情報が受信しなくなるまで監視し、前記ＩＤタグ情報とユニット情報の受信開始から受信終了までの累積回数をカウントする累積回数カウント手段と、前記累積回数を前記ＩＤタグ情報およびユニット情報を対応付けて記憶する累積回数記憶手段と、を有し、いずれかのボタンユニットから呼出操作に係る信号とユニット情報を受信すると、前記累積回数記憶手段を参照して該当するボタンユニットが検知したＩＤタグのうち、累積回数の最も多いＩＤタグ情報を読出し、前記読出したＩＤタグ情報または当該ボタンユニットに係る情報を表示する、または前記対応端末情報記憶手段を参照して当該ＩＤタグ情報に対応する端末に通知する、または当該ＩＤタグ情報に対応する前記無線端末の電話番号で当該無線端末を呼出すことを特徴とする。
【００９４】
本発明による第６の発明は、前記呼出した無線端末から一定時間以内に応答がなければ、前記累積回数記憶手段を参照して当該ボタンユニットが検知したＩＤタグのうち次に累積回数が多いＩＤタグ情報を読み出し、前記読出したＩＤタグ情報または当該ボタンユニットに係る情報を表示する、または前記対応端末情報記憶手段を参照して当該ＩＤタグ情報に対応する端末に通知する、または前記対応端末情報記憶手段を参照して当該ＩＤタグ情報に対応する無線端末を呼出すことを特徴とする。
【００９５】
本発明のナースコールシステムによれば、最も長い時間患者のそばで看護した看護師を呼び出すことができるため、状況を知っている看護師が患者に対応することができる。
【００９６】
また、最初に呼び出したナースコール先の無線子機が応答しなかった場合に他無線子機を看護時間が長い順に呼び出すことによって、ナースコールを看護師の誰かに気づかせることができる。
【００９７】
また、最も看護した回数が多い看護師を呼び出すことができるため、状況を知っている看護師が患者に対応することができる。
【００９８】
また、最初に呼び出したナースコール先の無線子機が応答しなかった場合に他無線子機を看護回数が多い順に呼び出すことによって、ナースコールを看護師の誰かに気づかせることができる。
【符号の説明】
【００９９】
１      ・・・呼出制御装置
２      ・・・呼出ボタンユニット
３      ・・・交換機
４      ・・・無線基地局
５      ・・・無線端末
６      ・・・ＩＤタグ
２１    ・・・ボタン入力部
２２    ・・・ボタンユニットＩＤタグリーダ
２３    ・・・ボタンユニットＩＤ通知部
２４    ・・・制御装置インターフェース
２５    ・・・呼出ボタン
２６    ・・・計測タイマ部
１０１  ・・・主制御部
１０２  ・・・呼出ボタンインターフェース
１０３  ・・・交換機インターフェース
１０４  ・・・表示器制御部
１０５  ・・・表示器
１０６  ・・・キー入力部
１０７  ・・・ダイヤルボタン
１０８  ・・・設定データ記憶部
１０９  ・・・制御装置ＩＤ通知部
１１０  ・・・制御装置ＩＤタグリーダ
１１１  ・・・時刻制御部
１１２  ・・・ＩＤタグ情報管理部
１１３  ・・・ＩＤタグ情報記憶部
１１４  ・・・無線端末情報管理部
１１５  ・・・無線端末情報記憶部
１１６  ・・・タイマ管理部
【図１】
0005696578.tif 000002
【図２】
0005696578.tif 000003
【図３】
0005696578.tif 000004
【図４】
0005696578.tif 000005
【図５】
0005696578.tif 000006
【図６】
0005696578.tif 000007
【図７】
0005696578.tif 000008
【図８】
0005696578.tif 000009
【図９】
0005696578.tif 000010
【図１０】
0005696578.tif 000011
【図１１】
0005696578.tif 000012
【図１２】
0005696578.tif 000013
【図１３】
0005696578.tif 000014